(57)【要約】【課題】短時間での組立が可能であり、製造費用を削減することができる表示装置及び該表示装置を備えるテレビジョン受信装置を提供する。【解決手段】フロントキャビネットを構成する第１杆状部材３１の突出板３１２ａを第２杆状部材３２の挿入溝３２２ａに挿入して、貫通孔３１２ｂにねじを挿入し、ねじ孔にて螺合させて、第１杆状部材３１及び第２杆状部材３２を直接連結する。両者を直接連結することによって、組立時間の短縮及び製造費用の削減を図る。【選択図】図５
2013152299.tif 000002
【特許請求の範囲】
【請求項１】
映像を表示する表示パネルと、該表示パネルの周縁部を囲繞しており、複数の杆状部材を連結して構成されたキャビネットとを備える表示装置において、
一の杆状部材の端部に長手方向に突出した突出部を設けてあり、
他の杆状部材の端部に前記突出部を挿入する挿入溝を設けてあり、
前記突出部を前記挿入溝に挿入してあり、前記突出部及び挿入溝を連結部材によって連結してあること
を特徴とする表示装置。
【請求項２】
前記突出部は離間して対向する複数の突出板であり、
各突出板に対応した前記挿入溝を複数備えること
を特徴とする請求項１に記載の表示装置。
【請求項３】
前記連結部材は前記突出部及び挿入溝の結合部分に螺入する単一のねじであること
を特徴とする請求項１又は２に記載の表示装置。
【請求項４】
一方の杆状部材の端部側面と他方の杆状部材の先端部とが対向しており、
前記端部側面に凹部が設けてあり、
前記先端部に前記凹部に嵌合する凸部が設けてあること
を特徴とする請求項１から３のいずれか一つに記載の表示装置。
【請求項５】
前記杆状部材はアルミニウム部材の押出成形によりなるものであること
を特徴とする請求項１から４のいずれか一つに記載の表示装置。
【請求項６】
請求項１から５のいずれか一つに記載の表示装置と、
テレビジョン放送を受信する受信部と
を備え、
前記表示装置は前記受信部が受信したテレビジョン放送の映像を表示するようにしてあること
を特徴とするテレビジョン受信装置。
【発明の詳細な説明】
【技術分野】
【０００１】
本発明は、映像を表示する表示パネルの周縁部を、複数の杆状部材を連結して構成されたキャビネットによって囲繞する表示装置及び該表示装置を備えるテレビジョン受信装置に関する。
【背景技術】
【０００２】
表示画面の大きさに比べて室内の占有面積が小さい薄型の表示装置（例えば液晶表示装置）は、限られた室内空間を有効に利用することができることから、一般に広く普及している。液晶表示装置は、前キャビネットに囲繞された映像を表示する表示パネルに向けて、後キャビネットに収容してある光源から光を出射し、映像を表示するように構成されている（例えば特許文献１参照）。
【０００３】
特許文献１に記載の後キャビネットは、四つの後フレーム構成片（杆状部材）からなる。後フレーム構成片の端部それぞれに凹溝が形成してあり、一及び他の後フレーム構成片に係る凹溝それぞれに、Ｌ形のガイド部材の一端部及び他端部を挿入し、後フレーム構成片それぞれとガイド部材とをねじで連結している。Ｌ形のガイド部材を使用しているので各後フレーム構成片を連結箇所において正確に直交させることができる。
【先行技術文献】
【特許文献】
【０００４】
【特許文献１】特開２００８−１３６０６８号公報
【発明の概要】
【発明が解決しようとする課題】
【０００５】
特許文献１に記載の液晶表示装置は、後フレーム構成片それぞれをＬ形のガイド部材の一端部及び他端部に連結する必要があり、少なくとも二箇所でねじ止めする必要がある。そのため液晶表示装置の組立に長時間を要する。またガイド部材を製作するか又は調達する必要があり、液晶表示装置の製造費用が嵩む。
【０００６】
本発明は斯かる事情に鑑みてなされたものであり、短時間での組立が可能であり、製造費用を削減することができる表示装置及び該表示装置を備えるテレビジョン受信装置を提供することを目的とする。
【課題を解決するための手段】
【０００７】
本発明に係る表示装置は、映像を表示する表示パネルと、該表示パネルの周縁部を囲繞しており、複数の杆状部材を連結して構成されたキャビネットとを備える表示装置において、一の杆状部材の端部に長手方向に突出した突出部を設けてあり、他の杆状部材の端部に前記突出部を挿入する挿入溝を設けてあり、前記突出部を前記挿入溝に挿入してあり、前記突出部及び挿入溝を連結部材によって連結してあることを特徴とする。
【０００８】
本発明においては、キャビネットを構成する一の杆状部材に係る突出部を他の杆状部材に係る挿入溝に挿入して、両者を直接連結し、組立時間の短縮を図る。
【０００９】
本発明に係る表示装置は、前記突出部は離間して対向する複数の突出板であり、各突出板に対応した前記挿入溝を複数備えることを特徴とする。
【００１０】
本発明においては、複数の突出板それぞれを複数の挿入溝それぞれに挿入し、一及び他の杆状部材の位置ずれを防止する。
【００１１】
本発明に係る表示装置は、前記連結部材は前記突出部及び挿入溝の結合部分に螺入する単一のねじであることを特徴とする。
【００１２】
本発明においては、単一のねじで杆状部材同士を連結し、組立時間の短縮を実現する。
【００１３】
本発明に係る表示装置は、一方の杆状部材の端部側面と他方の杆状部材の先端部とが対向しており、前記端部側面に凹部が設けてあり、
前記先端部に前記凹部に嵌合する凸部が設けてあることを特徴とする。
【００１４】
本発明においては、両杆状部材それぞれに設けた凹部及び凸部を嵌合し、外部への光漏れを防止する。
【００１５】
本発明に係る表示装置は、前記杆状部材はアルミニウム部材の押出成形によりなるものであることを特徴とする。
【００１６】
本発明においては、アルミニウム部材を押し出して杆状部材を成形し、製造費用を抑制し且つ放熱性を向上させる。
【００１７】
本発明に係るテレビジョン受信装置は、前述した表示装置と、テレビジョン放送を受信する受信部とを備え、前記表示装置は前記受信部が受信したテレビジョン放送の映像を表示するようにしてあることを特徴とする。
【００１８】
本発明においては、上述した効果をテレビジョン受信装置においても得ることができる。
【発明の効果】
【００１９】
キャビネットを構成する一の杆状部材に係る突出部を他の杆状部材に係る挿入溝に挿入して、ガイド部材を使用することなく両者を直接連結するので、組立時間の短縮及び製造費用の削減を図ることができる。
【図面の簡単な説明】
【００２０】
【図１】実施の形態１に係るテレビジョン受信装置の概略斜視図である。
【図２】フロントキャビネットを構成する第１杆状部材を略示する拡大斜視図である。
【図３】フロントキャビネットを構成する第２杆状部材を略示する拡大斜視図である。
【図４】図３に示すＩＶ−ＩＶ線における部分断面図である。
【図５】突出板を挿入溝に挿入した状態を略示する斜視図である。
【図６】突出板を挿入溝に挿入した状態を略示する側面図である。
【図７】ねじによって第１杆状部材及び第２杆状部材を連結した状態を略示する斜視図である。
【図８】実施の形態２に係るテレビジョン受信装置のフロントキャビネットを構成する第１杆状部材及び第２杆状部材の連結部分を略示する部分拡大斜視図である。
【図９】連結した第１杆状部材及び第２杆状部材へのねじの取付を略示する部分拡大斜視図である。
【図１０】ねじを取り付けた第１杆状部材及び第２杆状部材を略示する部分拡大斜視図である。
【図１１】図１０に示すＸＩ−ＸＩ線における断面図である。
【図１２】図１０に示すＸＩＩ−ＸＩＩ線における断面図である。
【発明を実施するための形態】
【００２１】
（実施の形態１）
以下本発明を実施の形態１に係るテレビジョン受信装置を示す図面に基づいて詳述する。図１は、テレビジョン受信装置の概略斜視図である。ここで、テレビジョン受信装置１が映像を表示する表示面２１に対して視聴者が正対した場合、表示面２１から視聴者側を前側、その反対である表示面２１から奥側を後側とする。表示面２１は横長の略矩形であり、視聴者から表示面２１に向かって、表示面２１の長手方向右側を右、表示面２１の長手方向左側を左とする。また、視聴者から表示面２１に向かって、短手方向上側を上、短手方向下側を下とする。図１は、テレビジョン受信装置１を前側右斜め上から示している。
【００２２】
テレビジョン受信装置１は、表示部（表示パネル）２、フロントキャビネット３、バックキャビネット４、電源Ｐ及びスタンドＳを含む表示装置と、受信部Ｔとを備える。表示部２は、前側のフロントキャビネット３により前側周縁部が取り囲まれている。フロントキャビネット３は、前側から見て、矩形枠状をなす。フロントキャビネット３の周面部には複数本の溝３０が表示面２１の外周と略平行に設けられている。後側のバックキャビネット４は、略平板状をなし、表示部２及び一部のフロントキャビネット３を後側から覆っている。表示部２は、例えば液晶表示パネル、プラズマディスプレイパネル、有機ＥＬ(ElectroLuminescence)パネル等から構成される。
【００２３】
フロントキャビネット３は押出成形されたアルミニウム部材からなる。バックキャビネット４は、前側が開放された矩形のトレイ状をなし、プレス加工されたアルミニウム部材からなる。フロントキャビネット３及びバックキャビネット４をアルミニウム製にすることによって、効率の良い放熱を実現し、また両者の熱膨張係数の差を小さくして歪みの発生を防止することができる。なおフロントキャビネット３及びバックキャビネット４を電気亜鉛めっき鋼板、銅部材などの他の金属部材によって構成してもよい。耐食性、美観等の観点から電気亜鉛めっきが施される。またフロントキャビネット３又はバックキャビネット４を樹脂で押出成形してもよい。
【００２４】
受信部Ｔ及び電源Ｐは、表示部２及びバックキャビネット４の間に取り付けられている。受信部Ｔは、テレビジョン放送を受信する。電源Ｐは、テレビジョン受信装置１に電力を供給する。テレビジョン受信装置１は、受信部Ｔが受信したテレビジョン放送に係る映像を表示部２の表示面２１に表示する。スタンドＳは、表示部２、フロントキャビネット３及びバックキャビネット４を起立状態で支持している。
【００２５】
図１に示すように、フロントキャビネット３は、上下方向に沿って延びる二つの第１杆状部材３１、３１と、左右方向に沿って延びる二つの第２杆状部材３２、３２とを備える。第１杆状部材３１，３１を左右に並設し、第２杆状部材３２，３２を上下に並設して、第１杆状部材３１，３１及び第２杆状部材３２，３２の各端部を連結し、フロントキャビネット３が組み立てられている。
【００２６】
図２はフロントキャビネット３を構成する第１杆状部材３１を略示する拡大斜視図、図３はフロントキャビネット３を構成する第２杆状部材３２を略示する拡大斜視図、図４は図３に示すＩＶ−ＩＶ線における部分断面図である。
図２に示すように、第１杆状部材３１は一面を前側に向けた前板部３１１と、該前板部３１１から略直角に突出しており、前板部３１１に沿って延びるフレーム部３１２と、該フレーム部３１２に隣接しており、前板部３１１の縁部分からフレーム部３１２と同方向に突出した側板部３１３とを備える。側板部３１３は前板部３１１に直角である。
【００２７】
フレーム部３１２の端部は前板部３１１よりも長手方向に突出している。フレーム部３１２の突出端部は、長手方向に突出しており、前板部３１１と略平行な二つの突出板３１２ａ、３１２ａを備える。突出板３１２ａ，３１２ａは矩形をなし、各突出板３１２ａ，３１２ａに貫通孔３１２ｂ，３１２ｂが同軸的に設けてある。側板部３１３の端部は、突出板３１２ａよりも長手方向に突出している（以下側板部３１３における突出板３１２ａよりも長手方向に突出した部分を凸部３１３ａという）。凸部３１３ａは、側板部３１３の内面から前板部３１１に平行な方向に沿って内側に延出した延出部３１３ｂを有する。側板部３１３は外面を右側又は左側に向けている。側板部３１３の外面に溝３０が設けてある。
【００２８】
図３に示すように、第２杆状部材３２は一面を前側に向けた前板部３２１と、該前板部３２１から略直角に突出しており、前板部３２１に沿って延びるフレーム部３２２と、該フレーム部３２２に隣接しており、前板部３２１の縁部分からフレーム部３２２と同方向に突出した側板部３２３とを備える。側板部３２３は前板部３２１に直角である。前板部３２１及び側板部３２３の各端部は、フレーム部３２２よりも長手方向に沿って突出している。
【００２９】
フレーム部３２２の端部には、前記突出板３１２ａが挿入され、前板部３２１に平行な矩形の挿入溝３２２ａが二つ設けてある。挿入溝３２２ａ，３２２ａは、フレーム部３２２の突出先端部分に形成してある。挿入溝３２２ａ，３２２ａにあっては、長手方向における端面側及び側板部３２３と反対側が開放されており、長手方向における端面と反対側及び側板部３２３側が閉塞されている。挿入溝３２２ａの寸法は突出板３１２ａに対応している。
【００３０】
図４に示すように，挿入溝３２２ａ，３２２ａの各側面には、貫通孔３２２ｂ，３２２ｂ及びねじ孔３２２ｃが同軸的に順に設けてある。ねじ孔３２２ｃは最も前板部３２１側に位置する。
【００３１】
側板部３２３におけるフレーム部３２２よりも突出した部分の内面に、第１凹部３２３ａが設けてある。第１凹部３２３ａは、側板部３２３の長手方向に直交し且つ前板部３２１に平行な方向に窪んでいる。第１凹部３２３ａの寸法は、前記凸部３１３ａの先端部分に対応した寸法である。
【００３２】
前板部３２１におけるフレーム部３２２よりも突出した部分の先端部内面に、第２凹部３２１ａが設けてある。第２凹部３２１ａは、前板部３２１の長手方向に直交する方向に細長い。前板部３２１の端面及び側板部３２３と反対側において、第２凹部３２１ａの各側面は開放されている。第２凹部３２１ａの寸法は、前記延出部３１３ｂに対応した寸法である。
【００３３】
図５は突出板３１２ａを挿入溝３２２ａに挿入した状態を略示する斜視図、図６は突出板３１２ａを挿入溝３２２ａに挿入した状態を略示する側面図、図７はねじによって第１杆状部材３１及び第２杆状部材３２を連結した状態を略示する斜視図である。なお図５及び図６において側板部３１３の記載を省略している。
【００３４】
フロントキャビネット３を組み立てる場合、第１杆状部材３１の延出部３１３ｂを第２杆状部材３２の第２凹部３２１ａに摺動挿入し、第１杆状部材３１を案内して、突出板３１２ａ，３１２ａを挿入溝３２２ａ，３２２ａに挿入する。このとき第１杆状部材３１の凸部３１３ａは第２杆状部材３２の第１凹部３２３ａに嵌合する。
【００３５】
突出板３１２ａを挿入溝３２２ａに挿入することによって、前後、左右及び上下方向の位置決めがなされる。第１杆状部材３１の凸部３１３ａを第２杆状部材３２の第１凹部３２３ａに嵌合させ、第１杆状部材３１の延出部３１３ｂを第２杆状部材３２の第２凹部３２１ａに挿入することによって、光漏れの発生を防止することができる。また凸部３１３ａと第１凹部３２３ａとの嵌合により、上下及び左右方向の位置決めがなされ、延出部３１３ｂを第２凹部３２１ａに挿入することによって、前後及び左右方向の位置決めがなされる。
【００３６】
図７に示すように、貫通孔３１２ｂ、３１２ｂにねじ１００を挿入し、ねじ孔３２２ｃにて螺合させて、第１杆状部材３１，３１及び第２杆状部材３２，３２を連結することによって、第１杆状部材３１及び第２杆状部材３２の端部が相互に連結され、矩形のフロントキャビネット３が組み立てられる。
【００３７】
実施の形態１に係るテレビジョン受信装置にあっては、フロントキャビネット３を構成する第１杆状部材３１の突出板３１２ａを第２杆状部材３２の挿入溝３２２ａに挿入して、両者を直接連結するので、組立時間の短縮及び製造費用の削減を図ることができる。
【００３８】
また二つの突出板３１２ａ、３１２ａを二つの挿入溝３２２ａ、３２２ａにそれぞれ挿入し、第１及び第２の杆状部材３１，３２の位置ずれを防止することができる。また単一のねじ１００で杆状部材同士３１，３２を連結し、組立時間の短縮を実現することができる。また両杆状部材３１，３２それぞれに設けた凸部３１３ａ及び第１凹部３２３ａを嵌合し、外部への光漏れを防止することができる。またアルミニウム部材を押し出して杆状部材を成形し、製造費用を抑制し且つ放熱性を向上させることができる。
【００３９】
なお突出板３１２ａは二つに限定されず、一つ又は三つ以上であってもよい。この場合挿入溝３２２ａも一つ又は三つ以上となる。
【００４０】
（実施の形態２）
以下本発明を実施の形態２に係るテレビジョン受信装置を示す図面に基づいて詳述する。図８は第１杆状部材３１及び第２杆状部材３２の連結部分を略示する部分拡大斜視図、図９は連結した第１杆状部材３１及び第２杆状部材３２へのねじ１００の取付を略示する部分拡大斜視図、図１０はねじ１００を取り付けた第１杆状部材３１及び第２杆状部材３２を略示する部分拡大斜視図、図１１は図１０に示すＸＩ−ＸＩ線における断面図、図１２は図１０に示すＸＩＩ−ＸＩＩ線における断面図である。
【００４１】
図８に示すように、第１杆状部材３１は一面を前側に向けた前板部３１５と、該前板部３１５から略直角に突出しており、前板部３１５に沿って延びるフレーム部３１６と、該フレーム部３１６の隣りに位置し、フレーム部３１６と同方向に突出した前板部３１５に直角な側板部３１７とを備える。
【００４２】
フレーム部３１６の端部は前板部３１５よりも長手方向に突出している。側板部３１７の端部はフレーム部３１６よりも長手方向に突出している。前板部３１５の先端部に、長手方向に突出した凸部３１５ａが設けてある。フレーム部３１６の先端部に、長手方向に突出しており、前板部３１５に平行な突出板３１６ａが設けてある。該突出板３１６ａには貫通孔３１６ｂが設けてある。
【００４３】
側板部３１７は、前板部３１５に直角な側面部３１７ａと、該側面部３１７ａの長手縁部から前板部３１５側に延出しており、前板部３１５に平行な板状のリブ３１７ｂとを備える。側面部３１７ａの先端部に、前板部３１５に直角な凸部３１７ｃが設けてある。リブ３１７ｂの先端部には、側面部３１７ａ側に窪んだ円弧切欠３１７ｄが形成してある。
【００４４】
第２杆状部材３２は一面を前側に向けた前板部３２５と、該前板部３２５の他面から略直角に突出しており、前板部３２５に沿って延びるフレーム部３２６と、該フレーム部３２６の隣に位置しており、前板部３２５の縁部分からフレーム部３２６と同方向に突出した前板部３２５に直角な側板部３２７とを備える。前板部３２５及び側板部３２７の各端部は、フレーム部３２６よりも長手方向に沿って突出している。
【００４５】
前板部３２５の一面及び他面に直角な縁の面に、凹部３２５ａが設けてある。凹部３２５ａの内奥寸法は凸部３１５ａの突出寸法に対応している。前板部３２５の他面において、前記凹部３２５ａの近傍に前板部３２５の短手方向に延びた矩形の第２凹部３２５ｂが形成してある。第２凹部３２５ｂにおけるフレーム部３２６と反対側の側面は開放されている。第２凹部３２５ｂの寸法は第１杆状部材３１のフレーム部３１６に対応している。
【００４６】
フレーム部３２６の端部に突出板３１６ａを挿入する挿入溝３２６ａが設けてある。挿入溝３２６ａの底面には、ねじ孔３２６ｂが設けてある。挿入溝３２６ａの寸法は突出板３１６ａに対応している。
【００４７】
側板部３２７は、前板部３２５に直角な側面部３２７ａと、該側面部３２７ａの長手縁部から前板部３２５側に延出しており、前板部３２５に平行な板状のリブ３２７ｂとを備える。側面部３２７ａの先端部に、前記凸部３１７ｃが嵌合する第１凹部３２７ｄが設けてある。リブ３２７ｂの先端部には、側面部３２７ａ側に窪んだ円弧切欠３２７ｃが形成してある。該円弧切欠３２７ｃの曲率は、前記円弧切欠３１７ｄと略同じである。
【００４８】
図８及び図１２に示すように、フロントキャビネット３を組み立てる場合、第１杆状部材３１のフレーム部３１６の端部を第２杆状部材３２の第２凹部３２５ｂに摺動挿入し、第１杆状部材３１を案内して、突出板３１６ａを挿入溝３２６ａに挿入する。このとき第１杆状部材３１の各凸部３１５ａ，３１７ｃは、第２杆状部材３２の凹部３２５ａ及び第１凹部３２７ｄにそれぞれ嵌合する。
【００４９】
図８及び図１１に示すように、第１杆状部材３１の各凸部３１５ａ，３１７ｃを、第２杆状部材３２の凹部３２５ａ及び第１凹部３２７ｄにそれぞれ嵌合することによって、前後、左右及び上下方向の位置決めがなされる。また光漏れの発生を防止することができる。
【００５０】
図９及び図１０に示すように、貫通孔３１６ｂにねじ１００を挿入し、ねじ孔３２６ｂにて螺合させて、第１杆状部材３１、３１及び第２杆状部材３２、３２を連結することによって、第１杆状部材３１及び第２杆状部材３２が連結され、矩形のフロントキャビネット３が組み立てられる。なお円弧切欠３２７ｃ及び円弧切欠３１７ｄによって、中心角が略２７０度の円弧からなる孔が形成される。該孔の直径はねじ１００の頭部の直径よりも大きく、ねじ１００を円滑に貫通孔３１６ｂに挿入することができる。
【００５１】
実施の形態２に係る構成の内、実施の形態１と同様な構成については同じ符号を付し、その詳細な説明を省略する。
【００５２】
上記実施の形態においては、ねじ１００によって第１杆状部材３１及び第２杆状部材３２を連結しているが、連結するための手段は特に限定されず、バンド部材又はボルト・ナット等によって連結してもよい。第１杆状部材３１の凸部３１５ａ，３１７ｃを第２杆状部材３２の凹部３２５ａ，３２７ｄに嵌合しているが、第１杆状部材３１に凹部を形成し、第２杆状部材３２に凸部を形成して、両者を嵌合してもよい。
【００５３】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００５４】
１  テレビジョン受信装置
２  表示部（表示パネル）
３  前キャビネット（キャビネット）
３１  第１杆状部材（杆状部材）
３１２ａ  突出板（突出部）
３１３ｂ  延出部
３１３ａ、３１５ａ，３１７ｃ  凸部
３２  第２杆状部材（杆状部材）
３２１ａ、３２５ｂ  第２凹部（凹部）
３２２ａ  挿入溝
３２３ａ、３２７ｄ  第１凹部（凹部）
３２５ａ  凹部
１００  ねじ（連結部材）
Ｔ  受信部
【図１】
2013152299.tif 000003
【図２】
2013152299.tif 000004
【図３】
2013152299.tif 000005
【図４】
2013152299.tif 000006
【図５】
2013152299.tif 000007
【図６】
2013152299.tif 000008
【図７】
2013152299.tif 000009
【図８】
2013152299.tif 000010
【図９】
2013152299.tif 000011
【図１０】
2013152299.tif 000012
【図１１】
2013152299.tif 000013
【図１２】
2013152299.tif 000014